(57)【要約】【課題】生き餌や練り餌を用いる魚釣りに於て、水中で回転し、ムシに見えて魚の注目を集め、釣果が著しく向上する釣果改善具を提供する。【解決手段】餌付け用の針を有する釣り糸Ｓに着脱自在に固着される釣果改善具Ｔであって、縦方向に細長のロ字状のバネ板１から成る本体２と、本体２の一長辺３から他長辺４に向かって突設された多数のクシ歯５と、を有する。クシ歯５は他長辺４を越えて、クシ歯５の先端６が小さく突出状である。クシ歯５の先端６に膨出頭部７を有する。本体２は、側面視左右逆方向に交互に弓状に弾性変形自在であって、左弓状又は右弓状のいずれかに於て、釣り糸Ｓを、本体２とクシ歯５にて圧接保持するように構成する。【選択図】図２
0003177885.tif 000002
【実用新案登録請求の範囲】
【請求項１】
餌付け用の針（Ｊ）を有する釣り糸（Ｓ）に着脱自在に固着される釣果改善具（Ｔ）であって、
縦方向に細長のロ字状のバネ板（１）から成る本体（２）と、該本体（２）の一長辺（３）から他長辺（４）に向かって突設された多数のクシ歯（５）と、を有し、
上記クシ歯（５）は上記他長辺（４）を越えて、上記クシ歯（５）の先端（６）が小さく突出状であり、
上記クシ歯（５）の先端（６）に膨出頭部（７）を有し、又は、折曲頭部（12）若しくは小弯曲頭部（13）が形成され、
上記本体（２）は、側面視左右逆方向に交互に弓状に弾性変形自在であって、左弓状又は右弓状のいずれかに於て、釣り糸（Ｓ）を、上記本体（２）と上記クシ歯（５）にて圧接保持するように構成したことを特徴とする魚釣りの釣果改善具。
【請求項２】
上記本体（２）は、２枚のコの字状バネ板片（１ａ）（１ｂ）を、組合わせて、カシメにて連結して、デッドポイントを越すことで、左右各弓状を保持するように構成した請求項１記載の魚釣りの釣果改善具。
【考案の詳細な説明】
【技術分野】
【０００１】
本考案は、魚釣りの釣果改善具に関する。
【背景技術】
【０００２】
従来、魚釣りの際、魚の注目を集める物として、ルアーがある（例えば、特許文献１参照）。
【０００３】
しかし、ルアーで釣ることができる魚の種類は限られている。そして、生き餌や練り餌で魚を釣ろうとすると、生き餌や練り餌が目立ちにくく、魚の注目をあまり集めることができない。
【先行技術文献】
【特許文献】
【０００４】
【特許文献１】特開２００８−１１３６４５号公報
【考案の概要】
【考案が解決しようとする課題】
【０００５】
解決しようとする課題は、生き餌や練り餌で魚を釣ろうとすると、生き餌や練り餌が目立ちにくく、魚の注目をあまり集めることができない点である。
【課題を解決するための手段】
【０００６】
そこで、本考案に係る魚釣りの釣果改善具は、餌付け用の針を有する釣り糸に着脱自在に固着される釣果改善具であって、縦方向に細長のロ字状のバネ板から成る本体と、本体の一長辺から他長辺に向かって突設された多数のクシ歯と、を有し、クシ歯は他長辺を越えて、クシ歯の先端が小さく突出状であり、クシ歯の先端に膨出頭部を有し、又は、折曲頭部若しくは小弯曲頭部が形成され、本体は、側面視左右逆方向に交互に弓状に弾性変形自在であって、左弓状又は右弓状のいずれかに於て、釣り糸を、本体とクシ歯にて圧接保持するように構成したものである。
また、本体は、２枚のコの字状バネ板片を、組合わせて、カシメにて連結して、デッドポイントを越すことで、左右各弓状を保持するように構成したものである。
【考案の効果】
【０００７】
本考案の魚釣りの釣果改善具によれば、生き餌や練り餌を用いる魚釣りに於て、水中で回転し、ムシに見えるので、魚の注目を集める。特に、釣果改善具の回転にともなって、餌に動きが与えられるので、一層魚の注目を集め、釣果が著しく向上する。
【図面の簡単な説明】
【０００８】
【図１】本考案の第１の実施の形態の使用状態を示す正面図である。
【図２】使用状態（閉状態）を示す正面図である。
【図３】図２のＸ−Ｘ断面底面図である。
【図４】側面図である。
【図５】開状態を示す正面図である。
【図６】側面図である。
【図７】バネ板片を示す正面図である。
【図８】バネ板片を示す正面図である。
【図９】リベットを示す断面正面図である。
【図１０】第２の実施の形態を示す要部断面図である。
【図１１】第３の実施の形態を示す要部断面図である。
【図１２】第４の実施の形態を示す正面図である。
【考案を実施するための形態】
【０００９】
図１は、本考案の第１の実施の形態の使用状態を示す。この魚釣りの釣果改善具Ｔは、餌付け用の針Ｊを有する釣り糸Ｓに着脱自在に固着される釣果改善具であって、釣り糸Ｓの任意の位置に、１個又は複数個取り付けて用いる。水中にて矢印Ｙに示すように回転し、ムシに見えるので、魚の注目を集める。特に、釣果改善具Ｔの回転にともなって、餌（生き餌や練り餌等）Ｅに動きが与えられるので、一層魚の注目を集め、釣果が著しく向上する。
【００１０】
図２〜図４は釣果改善具Ｔを釣り糸Ｓに取付けた閉状態を示し、図５・図６は釣果改善具Ｔの開状態を示す。縦方向に細長のロ字状のバネ板１から成る本体２と、本体２の一長辺３から他長辺４に向かって突設された多数のクシ歯５と、を有する。「多数」とは、３本以上を言うものとする。クシ歯５は他長辺４を越えて、クシ歯５の先端６が小さく突出状である。クシ歯５の先端６に膨出頭部７を有する。
【００１１】
本体２は、側面視左右逆方向に交互に弓状に弾性変形自在であって、右弓状（図４参照）に於て、釣り糸Ｓを、本体２とクシ歯５にて圧接保持するように構成される。８は筒状弾性材であって、本体２とクシ歯５の間に弾性材８が介在することにより、釣り糸Ｓを圧接保持する際、釣果改善具Ｔが滑り落ちるのを確実に防止することができる。
【００１２】
本体２は、図７及び図８に示すような２枚のコの字状バネ板片１ａ，１ｂを、組合わせて、図９に示すようなリベット９を用いて、カシメにて連結して、デッドポイントを越すことで、左右各弓状（図４・図６参照）を保持するように構成される。すなわち、一方のバネ板片１ａの上辺14及び下辺15と、他方のバネ板片１ｂの上辺16及び下辺17にリベット９挿通用の孔部11を設ける。そして、一方のバネ板片１ａの上辺14の孔部11と、下辺15の孔部11の縦方向の距離寸法Ｌ１を、他方のバネ板片１ｂの上辺16の孔部11と、下辺17の孔部11の縦方向の距離寸法Ｌ２よりも長く設定する。
【００１３】
一方のバネ板片１ａに、多数のクシ歯５が形成される。他方のバネ板片１ｂの長辺（前述の他長辺４）に、縦長状孔部10が形成される。孔部10が形成されることにより、デッドポイントを越す際の曲げ変形が容易になる。すなわち、小さな力でデッドポイントを越すことができる。
【００１４】
図10は、第２の実施の形態を示す。クシ歯５の先端６に折曲頭部12が形成される。その他の構成は、第１の実施の形態と同様である。
【００１５】
図11は、第３の実施の形態を示す。クシ歯５の先端６に小弯曲頭部13が形成される。その他の構成は、第１の実施の形態と同様である。
【００１６】
図12は、第４の実施の形態を示す。本体２の一長辺３に多数の小突起18が形成される。魚の注目を一層集めることができる。その他の構成は、第１の実施の形態と同様である。
【００１７】
なお、本考案に於て、「ロ字状のバネ板１から成る」には、“コの字状バネ板片１ａ，１ｂをリベット９等の連結具を用いて連結したものから成る”場合を含むものとする。
本考案は、設計変更可能であって、例えば、本体２を、左弓状に於て、釣り糸Ｓを、本体２とクシ歯５にて圧接保持するように構成するも良い。また、弾性材８を省略するも良い。
【００１８】
以上のように、本考案は、餌付け用の針Ｊを有する釣り糸Ｓに着脱自在に固着される釣果改善具Ｔであって、縦方向に細長のロ字状のバネ板１から成る本体２と、本体２の一長辺３から他長辺４に向かって突設された多数のクシ歯５と、を有し、クシ歯５は他長辺４を越えて、クシ歯５の先端６が小さく突出状であり、クシ歯５の先端６に膨出頭部７を有し、又は、折曲頭部12若しくは小弯曲頭部13が形成され、本体２は、側面視左右逆方向に交互に弓状に弾性変形自在であって、左弓状又は右弓状のいずれかに於て、釣り糸Ｓを、本体２とクシ歯５にて圧接保持するように構成したので、生き餌や練り餌を用いる魚釣りに於て、水中で回転し、ムシに見えるので、魚の注目を集める。特に、釣果改善具Ｔの回転にともなって、餌Ｅに動きが与えられるので、一層魚の注目を集め、釣果が著しく向上する。また、ワンタッチで、容易に釣果改善具Ｔを釣り糸Ｓの任意の位置に取付けることができる。
【００１９】
また、本体２は、２枚のコの字状バネ板片１ａ，１ｂを、組合わせて、カシメにて連結して、デッドポイントを越すことで、左右各弓状を保持するように構成したので、容易に製作することができる。
【符号の説明】
【００２０】
１  （ロ字状の）バネ板
１ａ  （コの字状）バネ板片
１ｂ  （コの字状）バネ板片
２  本体
３  一長辺
４  他長辺
５  クシ歯
６  先端
７  膨出頭部
12  折曲頭部
13  小弯曲頭部
Ｊ  針
Ｓ  釣り糸
Ｔ  釣果改善具
【図１】
0003177885.tif 000003
【図２】
0003177885.tif 000004
【図３】
0003177885.tif 000005
【図４】
0003177885.tif 000006
【図５】
0003177885.tif 000007
【図６】
0003177885.tif 000008
【図７】
0003177885.tif 000009
【図８】
0003177885.tif 000010
【図９】
0003177885.tif 000011
【図１０】
0003177885.tif 000012
【図１１】
0003177885.tif 000013
【図１２】
0003177885.tif 000014